(57)【要約】      （修正有）【課題】手の中に持って回転させることができ、手の皮膚への刺激を伝えられるマッサージ器を提供する。【解決手段】プラスチック又は石材の管を切削加工により、表面にソロバン玉状の７−９個の切れ目を設けて、一直線のローラー状に加工してなる管２本を、装飾を兼ねたストラップで楕円形状に通して一体化してなる。【選択図】図１
0003160151.tif 000002
【実用新案登録請求の範囲】
【請求項１】
昔は胡桃の実二つを組み合わせ、手の平で握り動かすことに拠り、手のひらや指先の血行を促進しましたが、下記の方法に拠り、胡桃に代わりプラスチックの製型品を用いて同じ効果が出せるローラー。
−手の平に適度な刺激を与えるため、胡桃に代わり、プラスチックでソロバン球７−９個  を一直線、ローラー状に並べた棒二本を、装飾品を兼ねたストラップで組み合わせた商  品。
−握り締めるとソロバン球状の鋭角に尖ったところが手の平に適度に食い込み、適度な刺  激と血行を良くする。
−二本に並べられたソロバン球は、凹凸が互いに組み合わされ、コンパクトなセットにな  ります。
−二本のローラーを一体化したストラップは装飾品の機能を兼ね、本品をバッグや携帯電  話にぶら下げる事が出来る。
−上記ソロバン球状棒は、耐摩耗性に優れた、エンジニアリングプラスチック
（例：ｐｏｌｙｏｘｙｍｅｔｈｙｌｅｎ）を切削加工又は射出成型で作る。
【考案の詳細な説明】
【技術分野】
【０００１】従来のローラーは体の胸、腹、顔等の柔らかい皮膚を擦るためのもの故プラスチック製の表面に大粒の突起物を付けたものが使われていたが、今回は手の平に握り締めるものですので、ソロバン球のように、先端が尖ったものが慶ばれます。この課題をプラスチック成型品で解決しました。
【背景技術】
【０００２】従来品はプラスチック製品の表面に豆状の突起物を付ける方式でしたので、最終製品がどうしても大きくなり、手の内に持っても回転させることが難しかった。
【考案の概要】
【考案が解決しようとする課題】
【０００３】−片手で握れる大きさ長さ５−６ｃｍのローラーに鋭角状・ソロバン球状の切れ目を７−９個付け、そのローラー２個を装飾品のトラップで一体化したい。
【課題を解決するための手段】添付図面１を御参照いただきたく。製法としては、真中に穴の開いたプラスチック製の棒状押し出し製品を切削加工して、表面を７−９個のソロバン球に仕上げる。これを装飾品のトラップで一体化して片手で握り易いようにする。
【考案の効果】
【０００４】−ソロバン球状ローラー二本の鋭角状の突起が噛み合い片方の手の内に入る小型の容積となり、ポケットに入れて持ち運びもできます。
−ローラーがソロバンの球状ですので、握った時手の平への遊び感覚を促すと共に刺激が充分に伝えられます。
−脱着可能なストラップを装着することに拠り、バッグや携帯電話にもぶら下げる事ができ、装飾品としての効果も楽しめます。
−サイズが小さいので安価に製造でき、その効果は従来品に劣る事はありません。
【考案を実施するための形態】
【０００５】−容量が小さいので、電車の中、事務所、人ごみの中等何処でも使えます。
−片手で握って使うことも出来ますが、両手に挟んで使えば、より一層の快感が楽しめます。
【実施例】
【０００６】−徳川家康がいつも胡桃二つを握って手の中でくるくる動かしながら、伝わってくる刺激を楽しみながら、国作りの思考を重ねていたとの言いつたへは良く知られております。
【図面の簡単な説明】
【０００７】
【図１】全体図。二本のプラスチック製ローラーの中心をストラップの紐が通り抜けています。
【図２】プラスチック製ローラーの二本の異なった単体。
【図３】ストラップ
【符号の説明】
【０００８】１  プラスチック製ローラー
２  ストラップの金属部分
３  ストラップの線維状の部分
【図１】
0003160151.tif 000003
【図２】
0003160151.tif 000004
【図３】
0003160151.tif 000005
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
昔は胡桃の実二つを組み合わせ、手の平で握り動かすことに拠り、手の平や指先の血行を促進しましたが、下記の方法に拠り、胡桃の代わりにプラスチック又は石材を素材として同じ効果が出せるマッサージ器。
−手の平に適度な刺激を与えるため、胡桃に代わり、プラスチック又は石材を加工したソロバン玉７−９個を一直線、ローラー状に並べた棒２本を、装飾品を兼ねたストラップで組み合わせた製品。ソロバン玉の一部をパワーストンに置き換える事もありうる。
−片方の手の中に握り締めるか、両手で挟み揉むことに拠り、ソロバン玉状の鋭角に尖ったところが手の平に適度に食い込み、適度な刺激と血行を良くする。
−２本に並べられたソロバン玉の棒状は、凹凸が互いに組み合わされ、コンパクトなセットになります。
−２本のローラーを一体化したストラップは装飾品の機能を兼ね、本品を携帯電話やバッグにぶら下げる事が出来る。又パワーストン効果のあるものをストラップに取り入れるとマッサージ器としての効果と、パワーストンの効果が同時に満たされます。
【手続補正２】
【補正対象書類名】明細書
【補正対象項目名】全文
【補正方法】変更
【補正の内容】
【考案の詳細な説明】
【技術分野】
【０００１】従来のマッサージ器は体の胸、腹、顔等の柔らかい皮膚を擦るためのものが主体で、プラスチック製品の表面に大粒の突起物を付けたものが多かったが、今回は手の平に握り締めるタイプで、ソロバン玉状の先端が尖ったものを使い効果を出すように配慮しました。
【背景技術】
【０００２】従来品はプラスチック製品の表面に豆状の突起物を付ける方式ですので、最終製品がどうしても大きくなり、手の中に持って回転させることが難しかった。又手の皮膚への刺激も充分ではなかった。
【考案の概要】
【考案が解決しようとする課題】
【０００３】−片手で握れる大きさ、長さ５−６ｃｍのローラーに鋭角状、ソロバン玉状の切れ目を７−９個付け、そのローラー２個を装飾品のトラップで一体化したい。
【課題を解決するための手段】添付図面１を参照頂きたく。
−プラスチックでローラーを作る場合：切削加工する場合は、真中に穴を開けた棒状押し出し製品を切削加工するか、射出成型機で加工する。
−石材から作る場合：高級石材は、原石の嵩が小さいので、ソロバン玉状のもの７−９個を作り、ローラー状に棒に固定する。一部をパワーストンに置き換えるケースもあります。
−上記部品を装飾品のトラップで一体化して片手で握りやすい製品とする。
−トラップにはパワーストン効果で評判の物を組み合わせておく。
【考案の効果】
【０００４】−ソロバン玉状ローラー２本の鋭角状の突起が双方噛み合い、片方の手に入る小型の容積となり、ポケットに容易に入れて持ち運びができます。
−ローラーがソロバン玉状ですので、握ったとき手の平への遊び感覚を促すと共に、刺激が充分に伝えられます。
−脱着可能名ストラップを装着することに拠り、バッグや携帯電話にもぶら下げられ、装飾品としての効果も楽しめ、パワーストンの効果もエンジョイできます。
【考案を実施するための形態】
【０００５】−容量が小さいので、電車の中、事務所、人ごみの中等何処でも使えます。
−片手で使うことも出来ますが、両手に挟んで使えばより一層の会館が楽しめます。
【実施例】
【０００６】徳川家康がいつも胡桃二つを握って手の中でくるくる動かし、伝わってくる刺激を楽しみながら、国作りに思考を重ねていたとの言い伝えは良く知られています。
【図面の簡単な説明】
【０００７】
【図１】全体図。２本のソロバン玉状のローラーの中心をストラップの紐が通りぬけています。
【図２】ソロバン玉状ローラーの異なった単体。
【図３】ストラップの一例（パワーストンを組み込んでおく事もできる）
【符号の説明】
【０００８】１  ソロバン玉状ローラー（石材を用いる場合は一部パワーストンを取り入れる）
２  ストラップの金属部分
３  ストラップの線維状の部分
４  パワーストンを取り入れた装飾品
【手続補正３】
【補正対象書類名】図面
【補正対象項目名】図３
【補正方法】変更
【補正の内容】
【図３】
0003160151.tif 000006
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
プラスチック又は石材の管を切削加工により、表面にソロバン玉状の７−９個の切れ目を設けて、一直線のローラー状に加工してなる管２本を、装飾を兼ねたストラップで楕円形状に通して一体化してなるマッサージ器。